(57)【要約】【課題】  新しい放射能除去用水性組成物を開発すること。【解決手段】  高分子量キトサン及び酸を主成分として含有してなる組成物を、放射能除去用水溶性組成物として、使用すること。【選択図】なし【特許請求の範囲】
【請求項１】
高分子量キトサン及び酸を主成分として含有してなることを特徴とする放射能除去用水溶性組成物。
【請求項２】
更に生理食塩水が含有されて成る請求の範囲１の組成物。
【請求項３】
上記キトサンの分子量が３００万〜６００万である請求の範囲１又は２の組成物。
【請求項４】
上記キトサンの分子量が５００万〜５２０万である請求の範囲１〜３のいずれかの組成物。
【請求項５】
上記酸が、弱酸である請求の範囲１〜４のいずれかの組成物。
【請求項６】
上記酸のｐｈが５．０〜６．５である請求の範囲１〜５のいずれかの組成物。
【請求項７】
高分子量キトサン及び酸の配合割合が、原液では、純水１リットル、キトサン２０ｇ，酸１００ｃｃである請求の範囲１〜６のいずれかの組成物
【請求項８】
高分子量キトサン、生理食塩水及び酸の配合割合が、原液では、キトサン２０ｇ，生理食塩水１リットル、酸１００ｃｃである請求の範囲１〜７のいずれか組成物
【請求項９】
上記組成物の使用時の粘度が、７００〜３０００ｃｐｓ（常温）である請求の範囲１〜８のいずれかの組成物
【発明の詳細な説明】
【技術分野】
【０００１】  本発明は放射能徐去用水性組成物に関し、更に詳しくはセシウムを始めその他各種の放射性元素を除去できる水性組成物に関する。
【背景技術】
【０００２】  従来から、キトサンは、よく知られた化合物であり、その有用性は、医療、農業、食品、環境、生活関連等の各分野に広く活用されており、健康食品では、低分子化によるグルコサミンとして商品化されている。これらは何れも溶解性や体内吸収性を高めるために低分子化を志向する傾向にあり、高分子化の研究は、あまり活発とは言難い傾向にあった。【０００３】  本発明者は、従来から、キトサンの高分子化合物について、研究を行ってきたが、この研究において、キトサンの高分子物は、放射能を吸着する性質のあることを発見し、さらに本研究を押し進めた結果、キトサンの分子量がこの吸着に大きく関係することが判明した。
【発明の開示】
【発明が解決しようとする課題】
【０００４】  しかし乍ら、キトサンであってもその分子量によって、放射能吸着性能にかなりの優劣があり、その高分子量のものが優れる傾向があることが判明した。そして、高分子量のキトサンを用いた場合にも、また吸着能に差異のあることが判明した。この為ある特定の条件が必要であり、それらの条件とキトサンとの分子量との関係についても、明らかにする必要があることを見出し、更に検討を加えた。
【課題を解決するための手段】
【０００５】本発明者らは、斯かる現状に鑑み、キトサン自体の分子量は、３００万以上が好ましく、特に５００万〜５２０万が好ましく、しかもこれを、生理食塩水と併用したときは、更に一段と優れた吸着能を発揮することを見出し、ここに本発明を完成したものである。【０００６】  即ち本発明は、高分子量キトサン及び酸を主成分として、更に好ましくは生理食塩水を含有してなることを特徴とする放射能除去用組成物に係るものである。【０００７】  尚本発明者の調査では、キトサンそのもの自体が、放射線吸着能を有することについては、全く従来知られていないことであって、本発明者が見出した新しい事実である。
【発明の効果】
【０００８】  本発明の組成物は放射能を吸着するだけでなく、一旦これを吸着すると、再解離しないと云う優れた特徴を有し、このため本発明組成物により、放射能を封印することができ、例えば、放射能による汚染土壌等から、放射能を低レベルまで減少出来、土壌改良の一行程としてその行程に寄与することができる。また、土壌ばかりでなく、放射能によって汚染されたその他の物品についても、これを除去することができ、その産業上の効果は極めて大きい。【０００９】  しかも本発明の組成物は、キトサン、生理食塩水及び酸とを、水に溶解すると云う手段で製造できるため、極めて簡単、容易に実施出来る効果も存在する。
【発明を実施するための最良の形態】
【００１０】  本発明に於いて使用されるキトサンは、従来からよく知られた化合物であり、甲殻類やそれに類似する原料から製造されるものである。本発明では、従来から知られているものが、広い範囲で、いずれも使用される。例えば、かに、いか、各種甲殻類等から製造されたものが例示できる。
キトサンの分子量としては、１００万以上、好ましくは３００万〜６００万である。特に好ましくは、５００万〜５２０万で、この範囲が極めて吸着性能が高い。【００１１】  生理食塩水としては、通常生理食塩水として使用されているものが、そのまま使用される。この生理食塩水が、弱酸と共に、キトサンと併用されると、どのような理由により、キトサンが放射能を吸着する様になるのかについては、本発明者の研究にも係わらず、なおその詳細は明確ではないが、実施例にも示した様に、優れた放射能吸着能を確実に示すのである。【００１２】  この生理食塩水としては、通常使用されている水溶液のものを、そのまま本発明で使用するのが、便利であり、、最終的に放射能吸着時に使用する際の、本発明組成物の濃度になる様に、水で調整すればよい。但し、本発明組成物の各成分が、本発明の各成分の配合割合となる限り、生理理食塩水として、通常使用されている濃度のものを、そのまま使用せずに、最終段階の使用時に、各成分を配合して、本発明組成物を製造することを妨げない。【００１３】  本発明に於いて使用される酸は、通常そのｐｈは，５．０〜６．５の酸が使用される。この際，ｐｈが５．０に達しない場合は、粘性に問題があり、逆に６．５より大きくなると、均一な溶液となり難い場合がある。
この弱酸としては、食用可能な酸が好ましく、例えば、酢、酒石酸、ギ酸、マロン酸、リンゴ酸等を代表例として例示出来る。
この際、弱酸を使用しないと、キトサンを均一に溶解し難くなることがあり、好ましくない。【００１４】  本発明の組成物は、必要に応じ使用時に薄めて使用することが出来、例えば、各成分の配合割合は、キトサン１０〜３０ｇ、好ましくは、１５〜２０ｇ、生理食塩水として１〜２リットル、好ましくは、１リットル前後、及び弱酸１００〜２００ｃｃ，好ましくは１００ｃｃ前後である。
本発明の組成物は、使用時に上記割合として、使用されるが、あくまで、使用時の割合であって、これを薄めて使用出来る形態、即ち原液の状態として調製しておくことが好ましい。【００１５】  本発明組成物を製造する方法としては、特に限定されるものではなく、上記成分を、均一に水に溶解して水溶液と出来る方法であれば良い。この際、組成物の使用時の成分割合として製造しても良く、また水分だけを少なく配合して、使用時に水分を加えて使用すように、所謂原液の形態にしても良い。
本発明組成物の使用方法は、（１）放射能汚染土壌及び改善、（２）体内放射線被爆した家畜やペット類への給餌による健康回復、（３）被爆又は被爆の恐れのある建造物への散布による環境改善などであり、これら使用方法に適した手段でおこなわれる。【００１６】  本発明組成物によって除去出来る放射能（放射性元素）は、広く各種の放射性元素が対象となり、例えば、ヨウ素、ストロンチウム、プルトニウム等を具体例として例示でき、特にセシウム１３４や同１３７  を挙げることが出来る。
以下に実施例を挙げて、本発明をさらに詳しく説明する。
【実施例１】
【００１７】  １リットル容器２本を用意し、それぞれに常温の水道水４リットルと米酢３６０ｍｌ，そして分子量１００万、３００万のキトサン粉末を各々１５ｇずつ用意して、２種類のキトサン溶液を製造した。【００１８】  次に上記２種類のキトサン水溶液を用いて、実験試料である１９００、４０００ベクレルのＣｓ（セシウム）１３４、Ｃｓ１３７による汚染土壌各１００ｇに、キトサン水溶液を１００ｇずつ加え混合して放置し、一定時間経過毎のＣｓ１３４、Ｃｓ１３７の放射能値を測定して、下記の値を得た。【００１９】
【表１】
2014211422.tif 000002
上記数値から、キトサン水溶液は、Ｃｓ１３４、Ｃｓ１３７に対する吸着力があり、分子量の高いキトサン水溶液の方が減少率が高い傾向がみられた。
【実施例２】
【００２０】  上記実施例１に於いて、キトサンとして、分子量５２０万のものを使用し実験試料として、汚染濃度の高いものを使用し、一定時間毎の数値を、同様にして測定した。この結果を下記に示した【００２１】
【表２】
2014211422.tif 000003
上記の結果、キトサンとしては、分子量の高い方が、吸着力は大きくなることが判る。
【実施例３】
【００２２】  上記実施例２では、吸着時間の飽和点について、９０分と１２０分が同じであり、更にこの点について吸着時間の限界点を確認するため、実施例２と同じ条件下で、１２時間後と２４時間後の放射線数値を測定して、下記の結果を得た。【００２３】
【表３】
2014211422.tif 000004
【実施例４】
【００２４】  上記実施例３において、水道水に代えて、点滴に使用されている生理食塩水を使用し、同条件下にて２時間後の放射線数値を測定した。その結果を下記に示す。【００２５】
【表４】
2014211422.tif 000005
【実施例５】
【００２６】  実施例４において、生理食塩水、岐阜県の名水（養老）、岡山県の名水（哲多）を用いて、同条件で処理して、以下の結果を得た。【００２７】
【表５】
2014211422.tif 000006
尚、上記表５に於いて、上段は、純水、中段は、養老の名水、そして下段は、哲多の名水を使用したものである。
上記の結果から、生理食塩水の使用が、効果が優れていることが判る。
【実施例６】
【００２８】  上記実施例２に於いて、セシウムに代えて、ストロンチウムで汚染された土壌を使用し、その他は、実施例２と同様に処理して、ほぼ実施例２と同じ結果を得た。